(57)【要約】【課題】  固定グローバルＩＰアドレス不要でシステム構築が容易かつセキュリティを確保した遠隔地の電源供給対象装置に対する制御。【解決手段】  制御指令コマンドを含むメールの送受信機能を備えるメールクライアント端末10と、該メールクライアント端末10とインターネット20を介して接続されて自己のメールアドレス宛のメールを送受信する送受信機能を有するリモート電源制御装置40とを備えるリモート電源制御システムであって、このリモート電源制御装置40が、自己のメールアドレス宛に受信したメールを解析し、該メールに含まれる制御指令コマンドを解析するメール解析機能41ｂと、該メールに含まれるキーコードを解析、認証するメール解析機能41ｃと、電源供給対象機器50への電力供給を制御するリモート電源制御機能42とを備え、前記メール解析機能41ｂにより解析した該制御指令コマンドに応じて電源制御機能42が電源供給対象機器50の電源をオンオフ制御するもの。【選択図】  図１
2007219945.tif 000002
【特許請求の範囲】
【請求項１】
制御指令コマンドを含むメールの送受信機能を備えるメールクライアント端末と、該メールクライアント端末とネットワークを介して接続されて自己のメールアドレス宛のメールを送受信するメール送受信機能を有するリモート電源制御装置とを備えるリモート電源制御システムであって、
前記リモート電源制御装置が、
前記ネットワークを介して自己のメールアドレス宛に受信したメールを解析し、該メールに含まれる制御指令コマンドを解析するメール解析機能と、前記電源供給対象機器への電力供給を制御するリモート電源制御機能とを備え、前記メール解析機能により解析した制御指令コマンドに応じて電源制御機能が電源供給対象機器の電源をオンオフ制御することを特徴とするリモート電源制御システム。
【請求項２】
前記制御指令コマンドが、電源供給装置の状態を監視する状態取得要求指令を含み、前記リモート電源制御装置が、前記電源供給対象機器の状態を監視する状態監視機能と、該状態監視機能により取得した電源供給対象機器の状態をメールによりメールクライアント端末に送信するメール送信機能とを有し、前記リモート電源制御装置のメール解析機能が受信したメールに含まれる状態取得要求指令を解析したとき、前記状態監視機能により電源供給対象機器の状態を取得し、前記メール送信機能により電源供給対象機器の状態をメールクライアント端末に送信することを特徴とする請求項１記載のリモート電源制御システム。
【請求項３】
前記リモート電源制御装置のメール解析機能が受信したメールに含まれるユニークなキーコードを認証するキーコード認証機能を有し、前記リモート電源制御装置が、前記キーコード認証機能によりキーコードを認証した後に前記電源制御機能が、電源供給対象機器の電源をオンオフ制御することを特徴とする請求項１又は２記載のリモート電源制御システム。
【請求項４】
前記リモート電源制御装置が、ユニークなキーコードを生成してメールに付加するキーコード生成機能を有し、前記メール送信機能が前記キーコードが付加されたメールをネットワークを介してメールクライアント端末に送信することを特徴とする請求項１又は２又は３記載のリモート電源制御システム。
【請求項５】
制御指令コマンドを含むメールの送受信機能を備えるメールクライアント端末と、該メールクライアント端末とネットワークを介して接続されて自己のメールアドレス宛のメールを送受信するメール送受信機能を有するリモート電源制御装置とを備えるリモート電源制御システムのリモート電源制御装置であって、
前記ネットワークを介して自己のメールアドレス宛に受信したメールを解析し、該メールに含まれる制御指令コマンドを解析するメール解析機能と、前記電源供給対象機器への電力供給を制御するリモート電源制御機能とを備え、前記メール解析機能により解析した制御指令コマンドに応じて電源制御機能が電源供給対象機器の電源をオンオフ制御することを特徴とするリモート電源制御装置。
【請求項６】
前記制御指令コマンドが電源供給装置の状態を監視する状態取得要求指令を含むリモート電源制御システムのリモート電源制御装置であって、
前記電源供給対象機器の状態を監視する状態監視機能機能と、該状態監視機能により取得した電源供給対象機器の状態をメールによりメールクライアント端末に送信するメール送信機能とを有し、前記メール解析機能が受信したメールに含まれる状態取得要求指令を解析したとき、前記状態監視機能により電源供給対象機器の状態を取得し、前記メール送信機能により電源供給対象機器の状態をメールクライアント端末に送信することを特徴とする請求項５記載のリモート電源制御装置。
【請求項７】
前記メール送受信機能を有するリモート電源制御システムのリモート電源制御装置であって、
前記メール解析機能が受信したメールに含まれるユニークなキーコードを認証するキーコード認証機能を有し、前記キーコード認証機能によりキーコードを認証した後に前記電源制御機能が、電源供給対象機器の電源をオンオフ制御することを特徴とする請求項５又は６記載のリモート電源制御装置。
【請求項８】
ユニークなキーコードを生成してメールに付加するキーコード生成機能を有するリモート電源制御装置であって、
前記メール送信機能が前記キーコードが付加されたメールをネットワークを介してメールクライアント端末に送信することを特徴とする請求項５又は６又は７記載のリモート電源制御装置。
【発明の詳細な説明】
【技術分野】
【０００１】
本発明は、遠隔して配置された電子機器の電源オンオフを制御することができるリモート電源制御システム及び該システムのリモート電源制御装置に係り、特に電子機器の起動を遠隔地からセキュリティを確保しつつ制御することができ且つ電子機器の状態を報告することができるリモート電源制御システム及び該システムのリモート電源制御装置に関する。
【背景技術】
【０００２】
近年、遠隔地にある電子機器、例えばコンピュータシステムを遠隔地から起動停止する技術が要望され、例えば下記特許文献に、遠隔地に在する通信装置と接続する通信インタフェースと、コンピュータに電力を供給する電源インタフェースと、該コンピュータに制御信号を供給する信号インタフェースとを備え、通信装置からパスワード付きの起動指示信号を受信したとき、該パスワードを解析して正当な通信装置からの起動要求の場合、前記電源インタフェースを介してコンピュータに電力を供給する電源制御装置を含むリモート電源制御システムが提案されている。
【特許文献１】特開平１０−２６０７５５号公報
【発明の開示】
【発明が解決しようとする課題】
【０００３】
前述の従来技術によるリモート電源システムは、正当な上位装置を認識してコンピュータに電力を供給することができるものの、インターネット等のＩＰアドレスを用いて通信回線網上の通信装置を認識するため、グローバル且つスタティックな固定ＩＰアドレスが必要になると言う欠点があった。
【０００４】
本発明の目的は、前述の従来技術による欠点を除去することであり、固定ＩＰアドレスを用意することなく遠隔地にある電源供給対象機器をセキュリティを確保しつつ起動することができるリモート電源制御システム及び該システムのリモート電源制御装置を提供することである。
【課題を解決するための手段】
【０００５】
前記目的を達成するために本発明は、制御指令コマンドを含むメールの送受信機能を備えるメールクライアント端末と、該メールクライアント端末とネットワークを介して接続されて自己のメールアドレス宛のメールを送受信するメール送受信機能を有するリモート電源制御装置とを備えるリモート電源制御システムであって、前記リモート電源制御装置が、前記ネットワークを介して自己のメールアドレス宛に受信したメールを解析し、該メールに含まれる制御指令コマンドを解析するメール解析機能と、前記電源供給対象機器への電力供給を制御するリモート電源制御機能とを備え、前記メール解析機能により解析した制御指令コマンドに応じて電源制御機能が電源供給対象機器の電源をオンオフ制御することを第１の特徴とする。
【０００６】
また本発明は、前記リモート電源制御システムにおいて、前記制御指令コマンドが、電源供給装置の状態を監視する状態取得要求指令を含み、前記リモート電源制御装置が、前記電源供給対象機器の状態を監視する状態監視機能と、該状態監視機能により取得した電源供給対象機器の状態をメールによりメールクライアント端末に送信するメール送信機能とを有し、前記リモート電源制御装置のメール解析機能が受信したメールに含まれる状態取得要求指令を解析したとき、前記状態監視機能により電源供給対象機器の状態を取得し、前記メール送信機能により電源供給対象機器の状態をメールクライアント端末に送信することを第２の特徴とする。
【０００７】
更に本発明は、前記第１又は２の特徴のリモート電源制御システムにおいて、前記リモート電源制御装置が、ユニークなキーコード生成してメールに付加するキーコード生成機能を有し、前記メール送信機能が前記キーコードが付加されたメールをネットワークを介してメールクライアント端末に送信することを第３の特徴とし、前記第１又は２の特徴のリモート電源制御システムにおいて、前記メールクライアント端末が前記キーコードが付加されたメールに制御コマンドを付加して前記リモート電源制御装置のメールアドレス宛てに送信し、前記リモート電源制御装置のメール解析機能が受信したメールに含まれる前記キーコードを認証するキーコード認証機能を有し、前記リモート電源制御装置が、前記キーコード認証機能によりキーコードを認証した後に前記電源制御機能が、電源供給対象機器の電源をオンオフ制御することを第４の特徴とする。
【０００８】
また本発明は、制御指令コマンドを含むメールの送受信機能を備えるメールクライアント端末と、該メールクライアント端末とネットワークを介して接続されて自己のメールアドレス宛のメールを送受信するメール送受信機能を有するリモート電源制御装置とを備えるリモート電源制御システムのリモート電源制御装置であって、前記ネットワークを介して自己のメールアドレス宛に受信したメールを解析し、該メールに含まれる制御指令コマンドを解析するメール解析機能と、前記電源供給対象機器への電力供給を制御するリモート電源制御機能とを備え、前記メール解析機能により解析した制御指令コマンドに応じて電源制御機能が電源供給対象機器の電源をオンオフ制御することを第５の特徴とする。
【０００９】
また本発明は、前記リモート電源制御装置において、前記制御指令コマンドが電源供給装置の状態を監視する状態取得要求指令を含むリモート電源制御システムのリモート電源制御装置であって、前記電源供給対象機器の状態を監視する状態監視機能と、該状態監視機能により取得した電源供給対象機器の状態をメールによりメールクライアント端末に送信するメール送信機能とを有し、前記メール解析機能が受信したメールに含まれる状態取得要求指令を解析したとき、前記状態監視機能により電源供給対象機器の状態を取得し、前記メール送信機能により電源供給対象機器の状態をメールクライアント端末に送信することを第６の特徴とする。
【００１０】
更に本発明は、前記何れかのリモート電源制御装置において、ユニークなキーコード生成してメールに付加するキーコード生成機能を有するリモート電源制御装置であって、前記メール送信機能が前記キーコードが付加されたメールをネットワークを介してメールクライアント端末に送信することを第７の特徴とし、前記第５又は６の特徴のリモート電源制御装置であって、前記メールクライアント端末が前記キーコードが付加されたメールに制御コマンドを付加して前記リモート電源制御装置のメールアドレス宛てに送信し、前記メール解析機能が受信したメールに含まれる前記キーコードを認証するキーコード認証機能を有し、前記キーコード認証機能によりキーコードを認証した後に前記電源制御機能が、電源供給対象機器の電源をオンオフ制御することを第８の特徴とする。
【発明の効果】
【００１１】
本発明によるリモート電源制御システム及び該システムのリモート電源制御装置は、リモート電源制御装置が、メールクライアント端末からメールアドレスを指定して送信されたメールを受け取り、該メールに含まれる電源供給対象機器に対する制御指令コマンドを解析し、このコマンドに応じて電源供給対象機器に対する電源オンオフ等を制御することによって、固定ＩＰアドレスを用意することなく遠隔地にある電源供給対象機器をセキュリティを確保しつつ起動することができる。
【発明を実施するための最良の形態】
【００１２】
以下、本発明によるリモート電源制御システム及び該システムの電源制御装置の一実施形態を図面を参照して詳細に説明する。
<構成説明>
【００１３】
図１は、本発明によるリモート電源制御装置を含むリモート電源制御システムの全体構成を示す図であり、本実施形態によるリモート電源制御システムは、遠隔地に配置され、メール送受信機能を備えるメールクライアント端末１０と、該クライアント端末１０とインターネット２０を介して接続され、メール送受信の中継制御を行う外部メールサーバ２１及び内部メールサーバ３１と、前記インターネット２０を介して接続され、メール送受信を仲介するネットワーク機器３０と、後述する電力が供給される対象となる電子機器に相当する電源供給対象機器５０と、該ネットワーク機器３０と接続され、前記電源供給対象機器５０に対する電力供給を制御するメール制御機能付リモート電源制御装置４０とから構成されている。尚、前記電源供給対象機器５０は、パーソナルコンピュータ等が好適であるが、これに限定されるものではなく、更にインターネット２０はＩＰアドレスを使用するＬＡＮやＷＡＮ等のネットワークであっても良い。
【００１４】
該メール制御機能付リモート電源制御装置４０は、前記ネットワーク機器３０を介してメールの送受信等を行うメール制御機能４１と、該メール制御機能４１の指示によって前記電源供給対象機器５０への電力供給のオンオフを行うリモート電源制御機能４２と、前記電源供給対象機器５０の状態、例えば電源オンオフ等の動作状態を監視する状態監視機能４３とを備え、該状態監視機能４３は図示しないインターフェースケーブル（ＵＳＢ、ＰＳ／２他のインタフェースや専用インターフェースケーブル）を含む。
【００１５】
特に本実施形態によるメール制御機能付リモート電源制御装置４０は、前記ネットワーク機器３０を介してメールを受信するメール受信機能４１ａと、該メール受信機能４１ａが受信したメール（ヘッダ、本文および添付ファイル）内容を解析し、前記メールに含まれる制御指令コマンド、例えば状態取得要求、電源オン指令、電源オフ指令を解析するメール解析機能４１ｂと、該メール解析機能４１ｂが解析した制御指令コマンドが電源オン指令または電源オフ指令の場合に、該メールに現在有効なキーコードが含まれるか否かを認証するメール解析機能４１ｃと、該メール解析機能４１ｃにより前記キーコードが含まれていると認証した場合に、電源供給対象機器５０の電源オフオン動作を行うリモート電源制御機能４２と、該制御指令コマンドが状態取得要求の場合に、前記状態監視機能４３に電源供給対象機器５０の状態取得を指示するメール解析機能４１ｂと、該メール解析機能４１ｂからの指示によりユニークなキーコードを生成するキーコード生成機能４１ｄと、該キーコード生成機能４１ｄにより生成したキーコード及び前記状態監視機能４３から取得した機器の状態（電源オンオフ他）を含むメールを作成するメール作成機能４１ｅと、該メール作成機能４１ｅにより作成したメールをネットワーク機器３０を介してメールクライアント端末１０に送信するメール送信機能４１ｆとを備える。尚、前述のキーコードは、セキュリティ確保のために状態取得要求毎に生成、変更し、一定期間のみ有効なコードとする。
<動作説明１>
【００１６】
前述の様に構成されたリモート電源制御システムは、例えば電源供給対象機器５０が電源オフの状態において該機器５０の電源オンを行う場合、メールクライアント端末１０が、インターネット２０並びに外部メールサーバ２１及び内部メールサーバ３１を介して前記電源オン指令を含むメールをメール制御機能付リモート電源制御装置４０宛に送信することにより、該メールを受信した前記リモート電源制御装置４０が、図２に示す如く、次の動作を実行する。
［ステップ０１］
【００１７】
メール受信機能４１ａが、メールクライアント端末１０から送られたメールを受信する。
［ステップ０２］
該メール受信機能４１ａが受信したメールを、メール解析機能４１ｂが、該メールに制御指令コマンド、具体的には電源オン指令が含まれるか否かを解析する。
［ステップ０３］
【００１８】
該メール解析機能４１ｃが、受信メールに電源オン指令が含まれていた場合、前記メールに現在有効なキーコードが含まれているか否かを解析し、前記キーコードが含まれていると認証したとき、リモート電源制御機能４２に対する電力供給を指示する。
［ステップ０４］
該リモート電源制御機能４２に対する電力供給により電源供給対象機器５０に電源が投入され、当該対象機器５０が起動したとき、メール送信機能４１ｆが、制御結果をメールクライアント端末１０のメールアドレス宛にメール送信する。
【００１９】
この様に本実施形態によるリモート電源制御システムは、メール制御機能付リモート電源制御装置４０が、メールクライアント端末１０からのメールをメール受信機能４１ａにより受信し、該メールに含まれる制御指令コマンドである電源オン指令をメール解析機能４１ｂにより解析し、該メールに含まれるキーコードをメール解析機能４１ｃにより解析してメールの正当性を認識すると共に、該電源オン指令によってリモート電源制御機能４２を用いて電源供給対象機器５０への電源供給を行うことにより、遠隔地から固定ＩＰアドレスを使用せずに電源投入を行うことができる。尚、本例においては制御指令コマンドが電源オンのときの動作について説明したが、この動作は電源オフ時においても同様である。
<動作説明２>
【００２０】
また本実施形態によるリモート電源制御システムは、例えば電源供給対象機器５０の動作状態を監視する場合、メールクライアント端末１０が、インターネット２０並びに外部メールサーバ２１及び内部メールサーバ３１を介して前記状態取得要求指令を含むメールをメール制御機能付リモート電源制御装置４０宛に送信することにより、該メールを受信した前記電源制御対象装置４０が、図２に示す如く、次の動作を実行する。
［ステップ１０］
【００２１】
メール受信機能４１ａが、メールクライアント端末１０から送られたメールを受信する。
［ステップ１１］
該メール受信機能４１ａが受信したメールを、メール解析機能４１ｂが、該メールに制御指令コマンド、具体的には状態取得要求指令が含まれるか否かを解析する。
［ステップ１２］
【００２２】
該メール解析機能４１ｃが、受信メールに状態取得要求指令が含まれていた場合、状態監視機能４３に対して電源供給対象機器５０の状態の報告を要求すると共に、キーコード生成機能４１ｄに対してユニークなキーコードの作成を指示する。
［ステップ１３］
【００２３】
該報告要求を受けた状態監視機能４３が、電源供給対象機器５０の状態（パーソナルコンピュータの場合、電源オンオフ・休止状態・スタンバイ状態等）を取得する。
［ステップ１４］
前記キーコード作成指示を受けたキーコード生成機能４１ｄは、ユニークなキーコードを生成する。尚、この時点で古いキーコードは無効となり、新しく生成したキーコードが有効となる。
［ステップ１５］
【００２４】
前記ステップ１４及び１５によって対象機器の状態取得及びキーコード生成をしたとき、前記メール作成機能４１ｅが、前記対象機器状態を表す文章／制御記号等並びに生成したキーコードを含むメールを生成する。
［ステップ１６］
【００２５】
該メール作成機能４１ｅがメールを生成したとき、メール送信機能４１ｆが、メールクライアント端末１０のメールアドレス宛に当該メールを送信する。
【００２６】
この様に本実施形態によるリモート電源制御システムは、メール制御機能付リモート電源制御装置４０が、メールクライアント端末１０からのメールをメール受信機能４１ａにより受信するステップと、該メールに含まれる制御指令コマンドである状態取得指令をメール解析機能４１ｂにより解析するステップと、該状態取得指令により状態監視機能４３を用いて電源供給対象機器５０の状態を取得するステップと、キーコード生成機能４１ｄによりキーコードを生成するステップと、該取得した対象機器の状態及びキーコードをメールクライアント端末１０に送信することによって、該メールクライアント端末１０側ではメール受信のみで遠隔地に在する電源供給対象機器５０の状態を把握することができる。この機能は、例えばメールクライアント端末１０から電源供給対象機器５０に対して電源投入を指令した後に、対象機器５０が立ち上がっているか否かを確認することができ、例えば電源投入が失敗したときに保守等を早急に行うことができる。また、この機能は、有効なキーコードを変更することにより、セキュリティを向上する。
【００２７】
以上述べた如く本実施形態によるリモート電源制御システムは、リモート電源制御装置４０は、メールに含まれる制御指令コマンドが電源オンオフ指令の場合は、受信した電子メールに含まれるキーコードにより正規な指令か否かを認識してから電源供給対象機器５２の電源をオンオフ動作する、また、該制御コマンドが、状態取得指令の場合は、状態検出して上位にメールを用いて報告すると共に、有効なキーコードを変更することができるため、インターネット上に固定ＩＰアドレスを用意することなく遠隔地にある電源供給対象機器５２をセキュリティを確保しつつ起動および停止することができる。
【図面の簡単な説明】
【００２８】
【図１】本発明の一実施形態によるリモート電源制御システムを示す図。
【図２】本発明の一実施形態によるリモート電源制御システムの動作の流れを示す図。
【符号の説明】
【００２９】
１０：メールクライアント端末、２０：インターネット、２１：外部メールサーバ、３０：ネットワーク機器、３１：内部メールサーバ、４０：メール制御機能付リモート電源制御装置、４１：メール制御機能、４１ａ：メール受信機能、４１ｂ：メール解析機能（制御指令取得）、４１ｃ：メール解析機能（キーコード認証）、４１ｄ：キーコード生成機能、４１ｅ：メール作成機能、４１ｆ：メール送信機能、４２：リモート電源制御機能、４３：状態監視機能、５０：電源供給対象機器。
【図１】
2007219945.tif 000003
【図２】
2007219945.tif 000004